(57)【要約】      （修正有）【課題】メタンなどの温室効果ガスやベンゼン、トルエン又はキシレンなどの芳香族化合物の大気への放出量を十分に低減でき、また外部からの燃料の供給量を十分に削減できるグリコール再生システムを提供する。【解決手段】本発明に係るグリコール再生システムは、グリコールとの接触によって天然ガスを脱水するスクラバから排出される湿グリコールを精製するためのものであり、湿グリコールから精製グリコールを得るためのグリコール再生部２０と、グリコール再生部２０から排出される過熱蒸気であって少なくとも水蒸気、メタン及びエタンを含有する過熱蒸気を処理するための過熱蒸気処理部４０とを備え、過熱蒸気処理部４０が過熱蒸気から燃料ガス（メタン及びメタン）を回収するための手段を有するとともに、第２のスクラバ４５を有する。第２のスクラバ４５はベンゼン、トルエン又はキシレンなどの芳香族化合物の放出量の低減に寄与する。【選択図】図１
2013124256.tif 000002
【特許請求の範囲】
【請求項１】
グリコールとの接触によって天然ガスを脱水するスクラバから排出される湿グリコールを精製するグリコール再生システムであって、
前記湿グリコールから精製グリコールを得るためのグリコール再生部と、
前記グリコール再生部から排出される過熱蒸気であって少なくとも水蒸気、メタン及びエタンを含有する過熱蒸気を処理するための過熱蒸気処理部と、
を備え、
前記グリコール再生部は、
前記湿グリコールを加熱するグリコールリボイラと、
前記グリコールリボイラに燃料ガスを外部から供給する第１の燃料供給管と、
前記グリコールリボイラ内で発生したガスに含まれるグリコールを液化させて前記グリコールリボイラに戻すとともに、前記過熱蒸気を排出するグリコール蒸留塔と、
前記グリコールリボイラの下方に設けられており、乾燥ガスとの接触によって前記グリコールリボイラからのグリコールを更に脱水するグリコールストリッパと、
前記グリコールストリッパに乾燥ガスを外部から供給する第１の乾燥ガス供給管と、
前記グリコールストリッパからの精製グリコールを収容するグリコールサージタンクと、
前記グリコールサージタンクからの前記精製グリコールの一部を前記スクラバへと移送する第１のグリコール導入ポンプと、
を有し、
前記過熱蒸気処理部は、
前記過熱蒸気を冷却する冷却装置と、
前記冷却装置の下流側に設置された気液分離装置と、
前記気液分離装置から少なくとも水を含む液体を排出する液体排出管と、
前記気液分離装置からの少なくともメタン及びエタンを含む気体の一部を、前記グリコールリボイラに燃料ガスとして供給する第２の燃料供給管と、
前記気液分離装置からの前記気体の残りを昇圧するブロワと、
前記ブロワによって昇圧された前記気体を、グリコールとの接触によって脱水して乾燥ガスを得る第２のスクラバと、
精製グリコールを前記第２のスクラバへと供給する精製グリコール供給管と、
前記第２のスクラバからの前記乾燥ガスを前記グリコールストリッパに供給する第２の乾燥ガス供給管と、
前記第２のスクラバからの湿グリコールを前記グリコールリボイラに移送する湿グリコール返送管と、
を有するグリコール再生システム。
【請求項２】
グリコールとの接触によって天然ガスを脱水するスクラバから排出される湿グリコールを精製するグリコール再生システムであって、
前記湿グリコールから精製グリコールを得るためのグリコール再生部と、
前記グリコール再生部から排出される過熱蒸気であって少なくとも水蒸気、メタン及びエタンを含有する過熱蒸気を処理するための過熱蒸気処理部と、
を備え、
前記グリコール再生部は、
前記湿グリコールを加熱するグリコールリボイラと、
前記グリコールリボイラに燃料ガスを外部から供給する第１の燃料供給管と、
前記グリコールリボイラ内で発生したガスに含まれるグリコールを液化させて前記グリコールリボイラに戻すとともに、前記過熱蒸気を排出するグリコール蒸留塔と、
前記グリコールリボイラの下方に設けられており、乾燥ガスとの接触によって前記グリコールリボイラからのグリコールを更に脱水するグリコールストリッパと、
前記グリコールストリッパに乾燥ガスを外部から供給する第１の乾燥ガス供給管と、
前記グリコールストリッパからの精製グリコールを収容するグリコールサージタンクと、
前記グリコールサージタンクからの前記精製グリコールの一部を前記スクラバへと移送する第１のグリコール導入ポンプと、
を有し、
前記過熱蒸気処理部は、
前記過熱蒸気を冷却する冷却装置と、
前記冷却装置の下流側に設置された気液分離装置と、
前記気液分離装置から少なくとも水を含む液体を排出する液体排出管と、
前記気液分離装置からの少なくともメタン及びエタンを含む気体を昇圧するブロワと、
前記ブロワによって昇圧された前記気体を、グリコールとの接触によって脱水して乾燥ガスを得る第２のスクラバと、
精製グリコールを前記第２のスクラバへと移送する精製グリコール供給管と、
前記第２のスクラバからの前記乾燥ガスの一部を前記グリコールストリッパに供給する第２の乾燥ガス供給管と、
前記第２のスクラバからの前記乾燥ガスの残りを排出するとともに当該乾燥ガスを燃料ガスとして必要とされる場所まで移送する燃料移送管と、
前記第２のスクラバからの湿グリコールを前記グリコールリボイラに移送する湿グリコール返送管と、
を有するグリコール再生システム。
【請求項３】
前記グリコールサージタンクからの一部の前記精製グリコールが前記第１のグリコール導入ポンプによって昇圧されて前記スクラバに供給され、残りの前記精製グリコールが前記グリコール供給管の途中に設けられた第２のグリコール導入ポンプによって昇圧されて前記第２のスクラバに供給されるように構成されている、請求項１又は２に記載のグリコール再生システム。
【請求項４】
前記第１のグリコール導入ポンプによって昇圧された前記精製グリコールの一部が前記スクラバに供給され、残りが前記グリコール供給管を通じて前記第２のスクラバに供給されるように構成されている、請求項１又は２に記載のグリコール再生システム。
【請求項５】
前記グリコールリボイラは前記湿グリコールを収容する本体部と、前記本体部内を通過するように設けられ燃料ガスの燃焼によって加熱された流体が流れる加熱管とを有する、請求項１〜４のいずれか一項に記載のグリコール再生システム。
【請求項６】
外部から供給される前記乾燥ガスは燃料ガスであり、メタン及びエタンの含有率の合計が８０体積％以上である、請求項１〜５のいずれか一項に記載のグリコール再生システム。
【発明の詳細な説明】
【技術分野】
【０００１】
本発明は、グリコールによるガスの脱水技術に関し、より詳細には水分を含有するガスとの接触によって水分を吸収したグリコールから水分を取り除いて精製グリコールを得るための再生システムに関する。
【背景技術】
【０００２】
ガスフィールドで生産される天然ガスはセパレータで気液分離された後、水蒸気を飽和状態で含有している。天然ガスに含まれる水蒸気は温度の低下や昇圧によって液体として析出する。水の析出はプラントやパイプラインに以下のような悪影響を及ぼす。例えば、ハイドレートの発生を誘発し、パイプラインの目詰まりの一因となる。また、析出した水分が腐食の原因になったり、侵食を助長したりする。
【０００３】
上記のような不具合を防止するための技術として、グリコールを用いた脱水処理が知られている。グリコールはアルコールの一種で、水と同様に高い極性を持つ。高い極性を持つもの同士は混ざりやすいため、水分を含む天然ガスとグリコールとが接触すると、グリコールが天然ガス中の水分を吸収する。これにより天然ガスが脱水される。水分を吸収したグリコール（湿グリコール）は、再生システムに移送され、蒸留によって水分とグリコールに分離される。水分が取り除かれたグリコール（精製グリコール）は再び天然ガスの脱水処理に供される（例えば、特許文献１，２参照）。
【先行技術文献】
【特許文献】
【０００４】
【特許文献１】米国特許第６４６１４１３号明細書
【特許文献２】米国特許第７２３２５０５号明細書
【発明の概要】
【発明が解決しようとする課題】
【０００５】
ところで、グリコールは水分だけでなく、ベンゼン、トルエン又はキシレンなどの発がん性を有する芳香族化合物も吸収する。これらの化合物を吸収したグリコールを従来の再生システムで処理した場合、これらの化合物の大気への放出量を十分に低減できないという問題があった。仮に、ベンゼン、トルエン又はキシレンを含むガスをフレアスタックで自然燃焼させた場合、これらの化合物は燃焼せずに大気に放出されるおそれがある。
【０００６】
また、従来のグリコール再生システムでは、例えば、湿グリコールを加熱するためのガスなど多量の燃料を外部から供給する必要があった。
【０００７】
本発明は、上記実情に鑑みてなされたものであり、ベンゼン、トルエン又はキシレンなどの芳香族化合物の大気への放出量を十分に低減でき、また外部からの燃料の供給量を十分に削減できるグリコール再生システムを提供することを目的とする。
【課題を解決するための手段】
【０００８】
本発明に係るグリコール再生システムは、グリコールとの接触によって天然ガスを脱水するスクラバから排出される湿グリコールを精製するためのものであり、湿グリコールから精製グリコールを得るためのグリコール再生部と、グリコール再生部から排出される過熱蒸気であって少なくとも水蒸気、メタン及びエタンを含有する過熱蒸気を処理するための過熱蒸気処理部とを備える。上記グリコール再生部は、湿グリコールを加熱するグリコールリボイラと、グリコールリボイラに燃料ガスを外部から供給する第１の燃料供給管と、グリコールリボイラ内で発生したガスに含まれるグリコールを液化させてグリコールリボイラに戻すとともに、過熱蒸気を排出するグリコール蒸留塔と、グリコールリボイラの下方に設けられており、乾燥ガスとの接触によってグリコールリボイラからのグリコールを更に脱水するグリコールストリッパと、グリコールストリッパに乾燥ガスを外部から供給する第１の乾燥ガス供給管と、グリコールストリッパからの精製グリコールを収容するグリコールサージタンクと、グリコールサージタンクからの精製グリコールの一部をスクラバへと移送する第１のグリコール導入ポンプとを有する。上記過熱蒸気処理部は、過熱蒸気を冷却する冷却装置と、冷却装置の下流側に設置された気液分離装置と、気液分離装置から少なくとも水を含む液体を排出する液体排出管と、気液分離装置からの少なくともメタン及びエタンを含む気体の一部を、グリコールリボイラに燃料ガスとして供給する第２の燃料供給管と、気液分離装置からの気体の残りを昇圧するブロワと、ブロワによって昇圧された気体を、グリコールとの接触によって脱水して乾燥ガスを得る第２のスクラバと、精製グリコールを第２のスクラバへと供給するグリコール供給管と、第２のスクラバからの乾燥ガスをグリコールストリッパに供給する第２の乾燥ガス供給管と、第２のスクラバからの湿グリコールをグリコールリボイラに移送する湿グリコール返送管とを有する。
【０００９】
上記グリコール再生システムによれば、上記構成の過熱蒸気処理部を採用したことで、ベンゼン、トルエン又はキシレンなどの芳香族化合物の大気への放出量を十分に低減できる。特に過熱蒸気処理部に第２のスクラバを設けたことで、仮に気液分離装置からの気体に芳香族化合物が残存していても、第２のスクラバにおける処理によってグリコールに吸収される。第２のスクラバからの湿グリコールは湿グリコール返送管を通じてグリコールリボイラに送られて再生処理がなされる。
【００１０】
上記グリコール再生システムによれば、過熱蒸気処理部に気液分離装置を設けたことで、過熱蒸気からメタン及びエタンを含む気体を回収することができる。この気体の一部をグリコールリボイラの燃料ガスとして利用したり、この気体の残りを第２のスクラバで更に乾燥処理して得たガスをグリコールストリッパに供給して乾燥ガスの一部として利用したりすることができる。
【００１１】
本発明のグリコール再生システムは、上記構成に限定されるものではなく、例えば、過熱蒸気処理部が以下のようなものであっても同様の効果が奏される。すなわち、上記グリコール再生システムの過熱蒸気処理部は、気液分離装置から排出されるガスの全量を第２のスクラバに移送して第２のスクラバで乾燥処理し、得られた乾燥ガスの一部を燃料ガスとして有効利用してもよい。この場合、過熱蒸気処理部は、過熱蒸気を冷却する冷却装置と、冷却装置の下流側に設置された気液分離装置と、気液分離装置から少なくとも水を含む液体を排出する液体排出管と、気液分離装置からの少なくともメタン及びエタンを含む気体を昇圧するブロワと、ブロワによって昇圧された気体を、グリコールとの接触によって脱水して乾燥ガスを得る第２のスクラバと、精製グリコールを第２のスクラバへと移送するグリコール供給管と、第２のスクラバからの乾燥ガスの一部をグリコールストリッパに供給する第２の乾燥ガス供給管と、第２のスクラバからの乾燥ガスの残りを排出するとともに当該乾燥ガスを燃料ガスとして必要とされる場所まで移送する燃料移送管と、第２のスクラバからの湿グリコールをグリコールリボイラに移送する湿グリコール返送管と有する。
【００１２】
上記グリコール再生システムは、グリコールサージタンクからの一部の精製グリコールが第１のグリコール導入ポンプによって昇圧されてスクラバに供給され、残りの精製グリコールが精製グリコール供給管の途中に設けられた第２のグリコール導入ポンプによって昇圧されて第２のスクラバに供給されるように構成されていてもよい。
【００１３】
あるいは、上記グリコール再生システムは、第１のグリコール導入ポンプによって昇圧された精製グリコールの一部がスクラバに供給され、残りが精製グリコール供給管を通じて第２のスクラバに供給されるように構成されていてもよい。
【００１４】
上記グリコールリボイラは、熱効率の点から湿グリコールを収容する本体部と、本体部内を通過するように設けられ燃料の燃焼によって加熱された流体が流れる加熱管とを有するものが好ましい。
【００１５】
本発明において、外部から供給される乾燥ガスは、燃料ガスであることが好ましく、メタン及びエタンの含有率の合計が８０体積％以上であることが好ましい。
【発明の効果】
【００１６】
本発明によれば、ベンゼン、トルエン又はキシレンなどの芳香族化合物の大気への放出量を十分に低減でき、また外部からの燃料の供給量を十分に削減できる。
【図面の簡単な説明】
【００１７】
【図１】本発明のグリコール再生システムを備えた天然ガス脱水システムの一実施形態を模式的に示すフロー図である。
【図２】グリコールリボイラの構造を模式的に示す断面図である。
【図３】本発明のグリコール再生システムを備えた天然ガス脱水システムの他の実施形態を模式的に示すフロー図である。
【発明を実施するための形態】
【００１８】
本発明の好適な実施形態について、図面を参照しながら、詳細に説明する。
【００１９】
図１に示す脱水システム１００は、水蒸気を含む天然ガスを脱水処理するためのものである。脱水システム１００は、グリコールとの接触によって天然ガスを脱水するスクラバ１０と、グリコール再生システム６０とを備える。図１に示すとおり、本実施形態に係るグリコール再生システム６０は、湿グリコールから精製グリコールを得るためのグリコール再生部２０と、グリコール再生部から排出される過熱蒸気を処理するための過熱蒸気処理部４０とを備える。
【００２０】
天然ガスの組成は、ガスフィールドによって異なるが、以下のような組成範囲の天然ガスを処理対象とすることができる。
メタン（Ｃ１）：  ３０〜９０モル％、
エタン（Ｃ２）：  １０〜５０モル％、
プロパン（Ｃ３）：  １〜４０モル％、
ブタン（Ｃ４）：    １〜４０モル％、
ペンタン（Ｃ５）：  １〜２０モル％、
炭素数６以上の炭化水素（Ｃ６＋）：０〜１０モル％。
【００２１】
スクラバ１０は、水分を含む天然ガスとグリコールとを接触させ、天然ガスの脱水処理をするためのものである。配管Ｌ１を通じて供給される天然ガスが下方から上方に流れ、配管Ｌ２を通じて供給されるグリコールが上方から下方に流れ、両者がスクラバ１０内で接触するようになっている。脱水処理がなされた天然ガス（乾燥ガス）は配管Ｌ３を通じて排出される。他方、水分を吸収したグリコール（湿グリコール）は配管Ｌ４を通じて排出される。スクラバ１０の底部に接続された配管Ｌ５からコンデンセートを排出できるようになっている。
【００２２】
グリコールの種類としては、モノエチレングリコール、ジエチレングリコール及びトリエチレングリコールが挙げられる。これらのうち、性能及びコストの観点からトリエチレングリコールが好適である。
【００２３】
（グリコール再生部）
グリコール再生部２０は、湿グリコールから水分を取り除いて精製グリコールを得るためのものである。グリコール再生部２０は、主に、グリコール還流冷却器２１、グリコールフラッシュタンク２２、フィルタ２３ａ、カーボンフィルタ２３ｂ、グリコールリボイラ２５、グリコール蒸留塔２６、グリコールストリッパ２７、グリコールサージタンク２８、ポンプ（第１のグリコール導入ポンプ）２９並びにこれらを接続する配管、図示しないバルブ及び計測機器等によって構成される。
【００２４】
スクラバ１０からの湿グリコールは、配管Ｌ４を通じてグリコール還流冷却器２１に供給される。グリコール還流冷却器２１はグリコール蒸留塔２６の上部に設けられており、グリコール還流冷却器２１内を比較的温度の低い湿グリコースが流れることで、グリコール蒸留塔２６内の流体が冷却される。
【００２５】
グリコールフラッシュタンク２２は、配管Ｌ６を通じて供給されるグリコール還流冷却器２１からの湿グリコールを減圧し、湿グリコールに溶け込んでいる水素やメタン等の軽質炭化水素を気化させるためのものである。水素や温室効果ガスであるメタン等は配管Ｌ７を通じてフレアスタックに移送されて燃焼処理される。グリコールフラッシュタンク２２の底部に接続された配管Ｌ８からコンデンセートを排出できるようになっている。グリコールフラッシュタンク２２からの湿グリコールは配管Ｌ９を通じてグリコール蒸留塔２６に供給される。配管Ｌ９の途中にはフィルタ２３ａ，２３ｂ及び熱交換器２４等が配設されている。
【００２６】
グリコールリボイラ２５は、配管Ｌ９及びグリコール蒸留塔２６を通じて供給されるグリコールフラッシュタンク２２からの湿グリコールを加熱するためのものである。グリコールリボイラ２５の上方にはグリコール蒸留塔２６が設けられている。グリコールフラッシュタンク２２からの湿グリコールはグリコール蒸留塔２６の側方から導入され、その下方に位置するグリコールリボイラ２５に流れるようになっている。
【００２７】
グリコールリボイラ２５は、図２に示すように、湿グリコールを収容する本体部２５ａと、本体部２５ａ内を通過するように設けられ高温の燃焼ガスが流れる加熱管２５ｂと、燃焼ガスを発生させるバーナ２５ｃとを有する。バーナ２５ｃには配管（第１の燃料供給管）Ｌ１０ａ及び配管（第２の燃料供給管）Ｌ２１ａを通じて燃料ガスが供給される。配管Ｌ１０ａは配管Ｌ１０から分岐した配管であり、外部から燃料ガスをバーナ２５ｃに供給するためのものである。配管Ｌ２１ａは後述の過熱蒸気処理部４０の気液分離装置４２からの気体の一部をバーナ２５ｃに供給するためのものである。グリコールリボイラ２５内のグリコール温度は２００〜２０４℃程度に調整することが好ましい。なお、加熱管２５ｂ内には、燃焼ガスの代わりに、燃料の燃焼によって加熱されたホットオイルを流してもよい。
【００２８】
グリコールリボイラ２５内の湿グリコールは、加熱管２５ｂの外面と接触して加熱され、水蒸気及び気化したグリコールを含むガスがグリコール蒸留塔２６へと流れ込む。グリコール蒸留塔２６は、グリコールリボイラ２５の上方に設けられており、グリコールリボイラ２５からのガスに含まれるグリコールを液化させてグリコールリボイラ２５に戻すとともに、過熱蒸気を配管Ｌ１１から排出するものである。
【００２９】
グリコールストリッパ２７は、グリコールリボイラ２５の下方に設けられており、乾燥ガスとの接触によってグリコールリボイラ２５からのグリコールを更に脱水するためのものである。グリコールストリッパ２７の上端はグリコールリボイラ２５内に延びており、加熱されたグリコールが流下する構造となっている（図２参照）。グリコールストリッパ２７内では、配管（第１の乾燥ガス供給管）Ｌ１０ｂ及び配管（第２の乾燥ガス供給管）Ｌ１２を通じて供給される乾燥ガスとグリコールが接触し、グリコールが更に脱水されて精製グリコール（グリコール純度９９．９質量％程度）となる。精製グリコールは配管Ｌ１３から排出されて熱交換器２４へと移送される。
【００３０】
配管Ｌ１０ｂを通じて外部から供給される乾燥ガス（燃料ガス）は、メタンを主成分とするガスであることが好ましく、水分の含有量が１．０体積％以下であることが好ましい。乾燥ガスは、メタン及びエタンの含有率の合計が８０体積％以上であることが好ましく、８５体積％以上であることがより好ましい。
【００３１】
ポンプ２９は、配管Ｌ２の途中に設けられており熱交換器２４からの精製グリコールの一部をスクラバ１０へと移送するためのものである。
【００３２】
（過熱蒸気処理部）
過熱蒸気処理部４０は、グリコール再生部２０から配管Ｌ１１を通じて排出される過熱蒸気を処理するためのものである。過熱蒸気処理部４０は、主に、冷却装置４１、気液分離装置４２、配管（液体排出管）Ｌ２０、配管（第２の燃料供給管）Ｌ２１ａ、ブロワ４３、スクラバ（第２のスクラバ）４５、配管（グリコール供給管）Ｌ２２、配管（第２の乾燥ガス供給管）Ｌ１２、配管（湿グリコール返送管）Ｌ２３並びに図示しないバルブ及び計測機器等によって構成される。
【００３３】
配管Ｌ１１を通じて供給される過熱蒸気は、配管Ｌ１１の途中に設けられた冷却装置４１によって冷却されて水蒸気の一部が液化する。好適な冷却装置として、空冷式及び水冷式のものが挙げられ、水が豊富にない地域においてはエアフィンクーラーや水循環式クーラーが特に好適である。
【００３４】
気液分離装置４２は、冷却装置４１の下流側に設置されており、気液混合状態の流体を液体と気体に分離するためのものである。液体は配管Ｌ２０を通じて系外へと排出される。この液体は水に加え、ベンゼン、トルエン又はキシレンなどの芳香族化合物も含む。他方、気体は配管Ｌ２１を通じて排出され、配管Ｌ２１から分岐した配管Ｌ２１ａを通じて一部がグリコールリボイラ２５のバーナ２５ｃに燃料ガスとして供給され、残りは配管Ｌ２１を通じてブロワ４３に供給される。この気体は、少なくともメタン及びエタンを含む。
【００３５】
ブロワ４３は、気液分離装置４２からの気体を昇圧し、後段のスクラバ４５に供給するためのものである。
【００３６】
スクラバ４５は、ブロワ４３によって昇圧された気体を、グリコールとの接触によって脱水して乾燥ガスを得るためのものである。スクラバ４５には配管Ｌ２２が接続されており、配管Ｌ２２を通じて精製グリコールが供給される。配管Ｌ２２は、熱交換器２４からの精製グリコールの一部をスクラバ１０へと移送するためのものであり、途中にはポンプ（第２のグリコール導入ポンプ）４６が設けられている。
【００３７】
配管Ｌ１２は、スクラバ４５からの乾燥ガスをグリコールストリッパ２７に供給するためのものである。配管Ｌ２３は、スクラバ４５からの湿グリコールをグリコールリボイラ２５に移送するためのものである。
【００３８】
グリコール再生システム６０によれば、上記構成の過熱蒸気処理部４０を採用したことで、ベンゼン、トルエン又はキシレンなどの芳香族化合物の大気への放出量を十分に低減できる。特に過熱蒸気処理部４０にスクラバ４５を設けたことで、仮に気液分離装置４２からの気体に芳香族化合物が残存していても、スクラバ４５における処理によってグリコールに吸収される。スクラバ４５からの湿グリコールは配管Ｌ２３を通じてグリコールリボイラ２５に送られて再生処理がなされる。
【００３９】
グリコール再生システム１００によれば、過熱蒸気処理部４０に気液分離装置４２を設けたことで、過熱蒸気からメタン及びエタンを含む気体を回収することができる。この気体の一部をグリコールリボイラ２５の燃料ガスとして利用したり、この気体の残りをスクラバ４５で更に乾燥処理して得たガスをグリコールストリッパ２７に供給して乾燥ガス（燃料ガス）の一部として利用したりすることができる。
【００４０】
以上、本発明の好適な実施形態について詳細に説明したが、本発明は上記実施形態に限定されるものではない。例えば、上記実施形態においては、過熱蒸気処理部４０の気液分離装置４２からの気体の一部を、スクラバ４５による更なる脱水処理に供することなく、グリコールリボイラ２５に燃料ガスとして供給する場合を例示したが、気液分離装置４２からの気体の全部をスクラバ４５に供給してもよい。図３に示す過熱蒸気処理部４０Ｂは、配管Ｌ２１が分岐しておらず、気液分離装置４２からの気体の全部がブロワ４３に供給される。一方、スクラバ４５から乾燥ガスを排出する配管Ｌ１２が途中で分岐しており、乾燥ガスの一部をグリコールストリッパ２７に供給し、残りの乾燥ガス（燃料ガス）を燃焼ガスが必要とされる場所まで配管（燃料移送管）Ｌ１２ａを通じて移送できるようになっている。
【００４１】
また、上記実施形態においては、熱交換器２４からの精製グリコールの一部をポンプ４６で昇圧してスクラバ４５に供給する構成を例示したが、これに代わりに図３に示すように、配管Ｌ２から配管（精製グリコール供給管）Ｌ２ａを分岐させ、この配管Ｌ２ａ及び配管Ｌ２２を通じてスクラバ４５に精製グリコールを供給してもよい。
【符号の説明】
【００４２】
１０…スクラバ、２０…グリコール再生部、２２…グリコールフラッシュタンク、２５…グリコールリボイラ、２５ａ…本体部、２５ｂ…加熱管、２６…グリコール蒸留塔、２７…グリコールストリッパ、２８…グリコールサージタンク、２９…ポンプ（第１のグリコール導入ポンプ）、４０，４０Ｂ…過熱蒸気処理部、４１…冷却装置、４２…気液分離装置、４３…ブロワ、４５…スクラバ（第２のスクラバ）、４６…ポンプ（第２のグリコール導入ポンプ）、６０…グリコール再生システム、１００…脱水システム、Ｌ２ａ…配管（精製グリコール供給管）、Ｌ１０ａ…配管（第１の燃料供給管）、Ｌ１０ｂ…配管（第１の乾燥ガス供給管）、Ｌ１２…配管（第２の乾燥ガス供給管）、Ｌ１２ａ…配管（燃料移送管）、Ｌ２０…配管（液体排出管）、Ｌ２１ａ…配管（第２の燃料供給管）、Ｌ２２…配管（グリコール供給管）、Ｌ２３…配管（湿グリコール返送管）。
【図１】
2013124256.tif 000003
【図２】
2013124256.tif 000004
【図３】
2013124256.tif 000005